(57)【要約】【課題】メモリカードの内部の複数のＩＣメモリを設けて、外部スイッチにより切り換える。この際、ホストに装着した状態でスイッチを切り換え可能とする。【解決手段】メモリカード１は、第１のメモリ１２−１と、第２のメモリ１２−２と、メモリを切り換える第１のスイッチ１３と、挿抜検出端子ＩＮＳの接続を切り換える第２のスイッチ１４とを備える。第１，第２のスイッチ１３，１４は、筐体外部のスライドスイッチ６に連動する。第１のスイッチ１３には、第１のメモリ１２−１を選択する接点と、第２のメモリ１２−２を選択する接点との中間に、メモリを選択しない接点が設けられている。第２のスイッチ１４は、第１のスイッチ１３が第１又は第２のメモリを選択する接点に切り換えられているときには端子ＩＮＳをグランドに接続し、メモリを選択していない接点に切り換えられているときには端子ＩＮＳを開放する。【選択図】  図４
2004213574.tif 000002
【特許請求の範囲】
【請求項１】
ホスト機器に対して着脱自在に取り付けられるリムーバブルなデータ記憶装置において、
ホスト機器から取り外された状態であっても記憶しているデータが消去されない複数の不揮発性メモリ手段と、
複数の接点が設けられており、ユーザの操作によりその接点が切り換えられて選択され、切り換えられた接点に対応した１つの上記不揮発性メモリ手段を選択する第１のスイッチと、
上記第１のスイッチの切り換えの動作と連動して接点を切り換える第２のスイッチと、
上記ホスト機器に装着されているときに当該ホスト機器との間でデータの送受信を行うインタフェース部と、
上記インタフェース部を介して送信されたデータに基づき動作するとともに、上記第１のスイッチにより選択された１つの不揮発性メモリ手段に対してデータの読み出し及び書き込みを行うコントローラとを備え、
上記インタフェース部には、本装置が装着されているとホスト機器に対して判断させるための検出端子が設けられており、
上記第１のスイッチは、任意の不揮発性メモリ手段を選択する接点から他の不揮発性メモリ手段を選択する接点への切り換えの中間位置に、いずれの不揮発性メモリ手段も選択しない接点が設けられており、
上記第２のスイッチは、上記第１のスイッチがいずれかの不揮発性メモリ手段を選択する接点に切り換えられているときには上記検出端子をグランドに接続し、上記第１のスイッチがいずれの不揮発性メモリ手段も選択していない接点に切り換えられているときには上記検出端子を開放すること
を特徴とするデータ記憶装置。
【請求項２】
上記不揮発性メモリ手段は、選択信号が入力される選択信号入力部を有し、当該選択信号入力部に与えられた選択信号に応じてデータの読み出し及び書き込みを可能とし、
上記コントローラと上記複数の不揮発性メモリ手段とは共通のバスで接続されており、
上記第１のスイッチは、不揮発性メモリ手段を選択する接点に切り換えられているときにはその接点に対応した１つの不揮発性メモリ手段に対して上記選択信号を供給し、いずれの不揮発性メモリ手段も選択していない接点に切り換えられているときにはいずれの不揮発性メモリ手段に対しても上記選択信号を供給しないこと
を特徴とする請求項１記載のデータ記憶装置。
【請求項３】
上記第１のスイッチは、操作部が、本装置がホスト機器に装着されているときでもユーザにより操作可能な位置に設けられていること
を特徴とする請求項１記載のデータ記憶装置。
【請求項４】
ホスト機器に対して着脱自在に取り付けられるリムーバブルなデータ記憶装置において、
ホスト機器から取り外された状態であっても記憶しているデータが消去されない複数の不揮発性メモリ手段と、
上記複数の不揮発性メモリ手段のうち１つの不揮発性メモリ手段を選択するメモリ切換スイッチと、
上記ホスト機器に装着されているときに当該ホスト機器との間でデータの送受信を行うインタフェース部と、
上記インタフェース部を介して送信されたデータに基づき動作するとともに、上記メモリ切換スイッチにより選択された１つの不揮発性メモリ手段に対してデータの読み出し及び書き込みを行うコントローラと、
上記メモリ切換スイッチにより選択されている不揮発性メモリ手段をユーザに対して表示する表示部と
を備えるデータ記憶装置。
【請求項５】
上記メモリ切換スイッチの切り換えの動作と連動して接点を切り換える第２のスイッチをさらに備え、
上記インタフェース部には、本装置が装着されているとホスト機器に対して判断させるための検出端子が設けられており、
上記メモリ切換スイッチは、任意の不揮発性メモリ手段を選択する接点から他の不揮発性メモリ手段を選択する接点への切り換えの中間位置に、いずれの不揮発性メモリ手段も選択しない接点が設けられており、
上記第２のスイッチは、上記メモリ切換スイッチがいずれかの不揮発性メモリ手段を選択する接点に切り換えられているときには上記検出端子をグランドに接続し、上記メモリ切換スイッチがいずれの不揮発性メモリ手段も選択していない接点に切り換えられているときには上記検出端子を開放すること
を特徴とする請求項４記載のデータ記憶装置。
【請求項６】
上記不揮発性メモリ手段は、選択信号が入力される選択信号入力部を有し、当該選択信号入力部に与えられた選択信号に応じてデータの読み出し及び書き込みを可能とし、
上記コントローラと上記複数の不揮発性メモリ手段とは共通のバスで接続されており、
上記メモリ切換スイッチは、不揮発性メモリ手段を選択する接点に切り換えられているときにはその接点に対応した１つの不揮発性メモリ手段に対して上記選択信号を供給し、いずれの不揮発性メモリ手段も選択していない接点に切り換えられているときにはいずれの不揮発性メモリ手段に対しても上記選択信号を供給しないこと
を特徴とする請求項５記載のデータ記憶装置。
【請求項７】
上記メモリ切換スイッチは、操作部が、本装置がホスト機器に装着されているときでもユーザにより操作可能な位置に設けられていること
を特徴とする請求項５記載のデータ記憶装置。
【請求項８】
ホスト機器に対して着脱自在に取り付けられるリムーバブルなデータ記憶装置において、
ホスト機器から取り外された状態であっても記憶しているデータが消去されない複数の不揮発性メモリ手段と、
上記複数の不揮発性メモリ手段のうち１つの不揮発性メモリ手段を選択するメモリ切換スイッチと、
インタフェース部を介してホスト機器から送信されたデータに基づき動作するとともに、上記第１のメモリ切換スイッチにより選択された１つの不揮発性メモリ手段に対してデータの読み出し及び書き込みを行うコントローラとを備え、
上記メモリ切換スイッチは、操作部が、本装置がホスト機器に装着されているときに、ユーザにより操作不可能となる位置に設けられていること
を特徴とするデータ記憶装置。
【請求項９】
内部に上記複数の不揮発性メモリ手段及び上記コントローラが配設された薄板状の筐体を備え、
上記メモリ切換スイッチの操作部は、上記薄板状の筐体の主面に設けられていること
を特徴とする請求項８記載のデータ記憶装置。
【請求項１０】
上記メモリ切換スイッチの操作部は、複数の不揮発性メモリ手段と上記コントローラとの間に配置されていること
を特徴とする請求項８記載のデータ記憶装置。
【請求項１１】
３つ以上の不揮発性メモリ手段を備え、
上記メモリ切換スイッチの操作部は、スライドスイッチであること
を特徴とする請求項８記載のデータ記憶装置。
【請求項１２】
上記複数の不揮発性メモリ手段は、異なる種類のメモリデバイスを含んで構成されていること
を特徴とする請求項８記載のデータ記憶装置。
【請求項１３】
上記不揮発性メモリ手段に対する書き込み禁止状態と書き込み可能状態とを切り換える誤消去防止スイッチを備え、
上記コントローラは、上記誤消去防止スイッチが書き込み禁止状態に切り換えられているときには、上記ホスト機器から与えられる上記不揮発性メモリ手段に対する書き込み命令に応じた書き込み動作を行わず、上記誤消去防止スイッチが書き込み可能状態に切り換えられているときには、上記ホスト機器から与えられる上記不揮発性メモリ手段に対する書き込み命令に応じた書き込み動作を行うこと
を特徴とする請求項８記載のデータ記憶装置。
【請求項１４】
ホスト機器に対して着脱自在に取り付けられるリムーバブルなデータ記憶装置において、
ホスト機器から取り外された状態であっても記憶しているデータが消去されない複数の不揮発性メモリ手段と、
上記複数の不揮発性メモリ手段のうち１つの不揮発性メモリ手段を選択するメモリ切換スイッチと、
上記不揮発性メモリ手段に対する書き込み禁止状態と書き込み可能状態とを切り換える誤消去防止スイッチと、
インタフェース部を介してホスト機器から送信されたデータに基づき動作するコントローラとを備え、
上記コントローラは、上記第１のメモリ切換スイッチにより選択された１つの不揮発性メモリ手段に対してデータの読み出し及び書き込みを行うとともに、上記誤消去防止スイッチが書き込み禁止状態に切り換えられているときには、上記ホスト機器から与えられる上記不揮発性メモリ手段に対する書き込み命令に応じた書き込み動作を行わず、上記誤消去防止スイッチが書き込み可能状態に切り換えられているときには、上記ホスト機器から与えられる上記不揮発性メモリ手段に対する書き込み命令に応じた書き込み動作を行い、
上記メモリ切換スイッチは、その操作部が、本装置がホスト機器に装着されているときに、ユーザにより操作不可能となる位置に設けられており、
上記誤消去防止スイッチは、その操作部が、本装置がホスト機器に装着されているときでもユーザにより操作可能な位置に設けられていること
を特徴とするデータ記憶装置。
【請求項１５】
ホスト機器に対して着脱自在に取り付けられるリムーバブルなデータ記憶装置において、
ホスト機器から取り外された状態であっても記憶しているデータが消去されない複数の不揮発性メモリ手段と、
上記複数の不揮発性メモリ手段のうち１つの不揮発性メモリ手段を選択するメモリ切換スイッチと、
上記不揮発性メモリ手段に対する書き込み禁止状態と書き込み可能状態とを切り換える誤消去防止スイッチと、
インタフェース部を介してホスト機器から送信されたデータに基づき動作するコントローラとを備え、
上記コントローラは、上記第１のメモリ切換スイッチにより選択された１つの不揮発性メモリ手段に対してデータの読み出し及び書き込みを行うとともに、上記誤消去防止スイッチが書き込み禁止状態に切り換えられているときには、上記ホスト機器から与えられる上記不揮発性メモリ手段に対する書き込み命令に応じた書き込み動作を行わず、上記誤消去防止スイッチが書き込み可能状態に切り換えられているときには、上記ホスト機器から与えられる上記不揮発性メモリ手段に対する書き込み命令に応じた書き込み動作を行い、
上記メモリ切換スイッチは、その操作部が、本装置がホスト機器に装着されているときでもユーザにより操作可能な位置に設けられており、
上記誤消去防止スイッチは、その操作部が、本装置がホスト機器に装着されているときに、ユーザにより操作不可能となる位置に設けられていること
を特徴とするデータ記憶装置。
【請求項１６】
ホスト機器に対して着脱自在に取り付けられるリムーバブルなメモリカードにおいて、
ホスト機器から取り外された状態であっても記憶しているデータが消去されない複数の不揮発性メモリ手段と、上記複数の不揮発性メモリ手段のうち１つの不揮発性メモリ手段を選択するメモリ切換スイッチと、インタフェース部を介してホスト機器から送信されたデータに基づき動作するとともに、上記第１のメモリ切換スイッチにより選択された１つの不揮発性メモリ手段に対してデータの読み出し及び書き込みを行うコントローラとを備え、
上記メモリ切換スイッチは、当該メモリカードと同一の外観形状の他種類のメモリカードに設けられた誤消去防止用のスイッチと同一の形状とされ、その操作部が同一の位置に配置されていること
を特徴とするメモリカード。
【請求項１７】
ホスト機器と、当該ホスト機器に対して着脱自在に取り付けられるリムーバブルなデータ記憶用の第１及び第２のメモリカードを有するメモリカード記録システムにおいて、
上記第１のメモリカード及び上記第２のメモリカードは、外観形状が同一であるとともに、ユーザにより操作可能なスイッチの操作部が外部に設けられており、
上記第２のメモリカードは、ホスト機器から取り外された状態であっても記憶しているデータが消去されない複数の不揮発性メモリ手段を内部に有し、当該第２のメモリカードの上記スイッチは、複数の不揮発性メモリ手段のうち１つの不揮発性メモリ手段を選択するメモリ切換スイッチであり、
上記第１のメモリカードの上記スイッチは、当該メモリカードに対する書き込み禁止状態と書き込み可能状態とを切り換える誤消去防止スイッチであること
を特徴とするメモリカード記録システム
【請求項１８】
ホスト機器に対して着脱自在に取り付けられるリムーバブルなデータ記憶装置において、
ホスト機器から取り外された状態であっても記憶しているデータが消去されない複数の不揮発性メモリ手段と、
複数の接点が設けられており、ユーザの操作によりその接点が切り換えられて選択され、切り換えられた接点に対応した１つの上記不揮発性メモリ手段を選択するメモリ選択スイッチと、
上記複数の不揮発性メモリ手段に対する書き込み禁止状態と書き込み可能状態とを切り換える誤消去防止スイッチと、
上記ホスト機器に装着されているときに当該ホスト機器との間でデータの送受信を行うインタフェース部と、
上記インタフェース部を介して送信されたデータに基づき動作するとともに、上記メモリ選択スイッチにより選択された１つの不揮発性メモリ手段に対してデータの読み出し及び書き込みを行うコントローラと
を備えるデータ記憶装置。
【請求項１９】
各不揮発性メモリ手段のデータ容量が筐体の外部に記載されていること
を特徴とする請求項１８記載のデータ記憶装置。
【請求項２０】
各不揮発性メモリ手段には、他の不揮発性メモリ手段と識別するための名称が定義されており、
筐体外部における上記メモリ選択スイッチの操作部の各移動位置近傍には、その移動位置で選択される上記不揮発性メモリ手段の名称が表記されていること
を特徴とする請求項１８記載のデータ記憶装置。
【発明の詳細な説明】
【０００１】
【発明の属する技術分野】
本発明は、ホスト機器に対して着脱自在に取り付けられるリムーバブルなデータ記憶装置、メモリカード及びメモリカード記録システムに関する。
【０００２】
【従来の技術】
ＮＡＮＤ型のフラッシュメモリを利用したアプリケーションとして、いわゆるメモリカードと呼ばれる、リムーバブルな小型ＩＣメモリ装置が知られている（例えば、特許文献１参照。）。メモリカードは、静止画像データ、動画像データ、音声データ、音楽データ等の各種デジタルデータを格納することができ、例えば、情報携帯端末、デスクトップ型コンピュータ、ノート型コンピュータ、携帯電話機、オーディオ装置、家電装置等々のホスト機器に、外部記憶メディアとして用いられる。
【０００３】
近年、ＮＡＮＤ型のフラッシュメモリの開発が進み、急速な勢いで高容量化が進められている。それに合わせて、１つのメモリカードで記憶可能なデータ量も急速に大きくなっている。
【０００４】
ところが、メモリカードは、適用されるファイルシステムによって、記録容量の上限が制限されてしまう。高容量化が図られたフラッシュメモリをメモリカードに適用したとしても、従来のファイルシステムと互換をとるには、その記録容量の上限を超えることはできない。従って、もし、メモリカードの容量を従来のファイルシステムの管理容量の上限を超えて用いたいのであれば、そのメモリカードには新たなファイルシステムを適用しなければならない。
【０００５】
しかしながら、新たなファイルシステムが適用されたメモリカードを使用する場合、通常、ホスト機器のオペレーションシステムを変更しなければならない。ホスト機器のオペレーションシステムを変更することは、はなはだ面倒な作業であり、負担が大きい。
【０００６】
そのため、従来のファイルシステムの管理容量を超えた大容量のメモリカードを提供する場合、ホスト機器にシステム変更をさせずに、そのメモリカードを利用できるようにすることが望ましい。
【０００７】
また、メモリカード内に記録したデータの管理を行う場合、１つのメモリカード内の記憶領域を複数に分割し、分割した各領域をそれぞれ独立のデバイスとして認識をさせると便利であることがある。例えば、仕事上のデータとプライベートのデータとを同一のメモリカードに記憶させている場合、１つのメモリカードの記憶領域が複数に分割されており、仕事上のデータとプライベートのデータとをまったく別のデバイスに格納しているように取り扱えると、非常に便利である。
【０００８】
以上のようなことが考慮されたメモリカードとして、内部に複数のフラッシュメモリを設け、そのフラッシュメモリを外部の切換スイッチで切り換えて利用できるようにしたスイッチ切換型のメモリカードが提案されている（例えば、特許文献２参照。）。このスイッチ切換型のメモリカードでは、外部のスイッチの切り換えにより、ホスト機器に対して内部の複数の記録領域をそれぞれ独立のデバイスとして認識させることができる。また、このスイッチ切換型のメモリカードでは、１つのパッケージ内の全体の記録容量を、ファイルシステムの管理容量の上限より大きくすることができる。
【０００９】
【特許文献１】
特開平１０年第３４０５７５号公報
【特許文献２】
特開平５年第２３３４３９号公報
【００１０】
【発明が解決しようとする課題】
しかしながら、このような従来のスイッチ切換型のメモリカードでは、ホスト機器に装着した状態でスイッチを切り換えてしまうと、ホスト側でデバイスの認識ができなくなり、最悪の場合には、記録済みのデータが破壊されてしまう。
【００１１】
また、このような従来のスイッチ切換型のメモリカードでは、ホスト機器に装着した状態では、現在どのフラッシュメモリを選択しているのかをユーザが判断できない。つまり、ホスト機器に装着した後にどの記録領域を選択しているのかがわからなくなった場合には、いちいちメモリカードをホスト機器から取り外してスイッチの状態を確認しなければならない。
【００１２】
本発明は、以上のような実情を鑑みてなされたものであり、ホスト機器に対して着脱自在に取り付けられるリムーバブルなデータ記憶装置において、内部の複数の記憶領域をスイッチで切り換えることにより、ホスト機器に対してそれぞれの記録領域を独立のデバイスとして認識をさせ、且つ、ホスト機器に装着した状態で上記スイッチを切り換えることができるようにすることを目的とする。
【００１３】
また、本発明は、ホスト機器に対して着脱自在に取り付けられるリムーバブルなデータ記憶装置において、内部の複数の記憶領域をスイッチで切り換えることにより、ホスト機器に対してそれぞれの記録領域を独立のデバイスとして認識をさせ、且つ、ホスト機器に装着した状態でスイッチにより選択されている記憶領域をユーザが認識できるようにすることを目的とする。
【００１４】
また、本発明は、ホスト機器に対して着脱自在に取り付けられるリムーバブルなデータ記憶装置において、内部の複数の記憶領域をスイッチで切り換えることにより、ホスト機器に対してそれぞれの記録領域を独立のデバイスとして認識をさせ、且つ、記録中や再生中にデバイスの変更ができないようにすることを目的とする。
【００１５】
【課題を解決するための手段】
本発明に係るデータ記憶装置は、ホスト機器に対して着脱自在に取り付けられるリムーバブルなデータ記憶装置である。この本発明に係るデータ記憶装置は、複数の不揮発性メモリと、複数の接点が設けられており、ユーザの操作によりその接点が切り換えられ、切り換えられた接点に対応した１つの上記不揮発性メモリを選択する第１のスイッチと、上記第１のスイッチの切り換えの動作と連動して接点を切り換える第２のスイッチと、上記ホスト機器に装着されているときに当該ホスト機器との間でデータの送受信を行うインタフェース部と、上記インタフェース部を介して送信されたデータに基づき動作するとともに、上記第１のスイッチにより選択された１つの不揮発性メモリに対してデータの読み出し及び書き込みを行うコントローラとを備えている。
【００１６】
上記インタフェース部には、本装置が装着されているとホスト機器に対して判断させるための検出端子が設けられている。ホスト機器は、この検出端子がグランドに接続されているときに本装置が装着されている判断し、この検出端子が開放されているときに本装置が装着されていないと判断する。
【００１７】
さらに、上記第１のスイッチは、任意の不揮発性メモリを選択する接点から他の不揮発性メモリを選択する接点への切り換えの中間位置に、いずれの不揮発性メモリも選択しない接点が設けられており、上記第２のスイッチは、上記第１のスイッチがいずれかの不揮発性メモリを選択する接点に切り換えられているときには上記検出端子をグランドに接続し、上記第１のスイッチがいずれの不揮発性メモリも選択していない接点に切り換えられているときには上記検出端子を開放する。
【００１８】
以上のようなデータ記憶装置では、内部の複数の不揮発性メモリを第１のスイッチによって切り換えることにより、ホスト機器に対してそれぞれの記録領域を独立のデバイスとして認識をさせる。さらに、このデータ記憶装置では、第１のスイッチに、任意の不揮発性メモリを選択する接点から他の不揮発性メモリを選択する接点への切り換えの中間位置に、いずれの不揮発性メモリも選択しない接点が設けられており、第２のスイッチが、第１のスイッチがいずれかの不揮発性メモリを選択する接点に切り換えられているときには検出端子をグランドに接続し、第１のスイッチがいずれの不揮発性メモリも選択していない接点に切り換えられているときには検出端子を開放する。
【００１９】
本発明に係るデータ記憶装置は、ホスト機器に対して着脱自在に取り付けられるリムーバブルなデータ記憶装置である。この本発明に係るデータ記憶装置は、複数の不揮発性メモリと、複数の接点が設けられており、ユーザの操作によりその接点が切り換えられ、切り換えられた接点に対応した１つの上記不揮発性メモリを選択するメモリ切換スイッチと、上記ホスト機器に装着されているときに当該ホスト機器との間でデータの送受信を行うインタフェース部と、上記インタフェース部を介して送信されたデータに基づき動作するとともに、上記メモリ切換スイッチにより選択された１つの不揮発性メモリに対してデータの読み出し及び書き込みを行うコントローラと、上記メモリ切換スイッチにより選択されている不揮発性メモリをユーザに対して表示する表示部とを備える。
【００２０】
以上のようなデータ記憶装置では、内部の複数の不揮発性メモリをメモリ切換スイッチによって切り換えることにより、ホスト機器に対してそれぞれの記録領域を独立のデバイスとして認識をさせる。さらに、このデータ記憶装置では、表示部によって、メモリ切換スイッチにより選択されている不揮発性メモリをユーザに対して表示している。
【００２１】
【発明の実施の形態】
以下、本発明の実施の形態として、本発明を適用したリムーバルな小型ＩＣメモリ装置について説明する。
【００２２】
なお、本発明の実施の形態として説明する小型ＩＣメモリ装置のことを、以下、メモリカードと呼ぶものとする。また、このメモリカードが接続されるデータ処理装置のことを、以下、ホスト機器と呼ぶものとする。
【００２３】
第１の実施の形態
まず、第１の実施の形態のメモリカードについて説明をする。
【００２４】
図１に、ホスト機器及びメモリカードの外観斜視図を示す。
【００２５】
メモリカード１は、不揮発性の半導体メモリ（ＩＣメモリ）を内部に有している。不揮発性の半導体メモリは、当該カードがホスト機器から取り外された場合であってもデータを保持することができる。メモリカード１は、内部の半導体メモリ内に、静止画像データ、動画像データ、音声データ、音楽データ等の各種デジタルデータを格納することができる。メモリカード１は、例えば、情報携帯端末、デスクトップ型コンピュータ、ノート型コンピュータ、携帯電話機、オーディオ装置、家電装置等々のホスト機器２の外部記憶メディアとして機能する。メモリカード１は、ホスト機器２に設けられているスロット３に挿入された状態で使用される。メモリカード１のスロット３に対する挿入及び抜出は、ユーザが手動で自在に行うことができる。そのため、例えば、あるホスト機器に挿入されていたメモリカード１を抜き出して、他のホスト機器に挿入することもできるため、異なるホスト機器間のデータのやり取りに用いることが可能である。
【００２６】
図２は、第１の実施の形態のメモリカード１を表面側から見た斜視図であり、図３は、本発明の実施の形態のメモリカード１を裏面側から見た斜視図である。
【００２７】
メモリカード１は、主面（表面１ａ及び裏面１ｂ）が略長方形とされた薄板形状となっている。メモリカード１は、主面の長手方向の長さが約５０ｍｍ、主面の短辺方向の長さが約２１．４５ｍｍ、厚さが約２．８ｍｍとなっている。また、メモリカード１は、主面が、表面１ａと裏面１ｂとに区別される。裏面１ｂの長手方向の一端には、１０個の平面電極（接続端子群４）が、短辺方向に一列に並んで設けられている。また、電極と電極との各間には、裏面１ｂから垂直に立ち上がったガード５が設けられ、接続端子への指等の接触防止が図られている。
【００２８】
また、メモリカード１には、スライドスイッチ６が設けられている。スライドスイッチ６は、メモリカード１がホスト機器２に挿入された状態であっても、ユーザにより外部から切り換えが可能な位置に設けられている。例えば、図２及び図３に示すように、スライドスイッチ６は、接続端子群４が設けられている長手方向の端部に対して、反対側の端面１ｃに設けられている。端面１ｃは、ホスト機器２のスロット３にメモリカード１を挿入している状態であってもスロット３から露出する。このため端面１ｃに対してスライドスイッチ６を設ければ、メモリカード１がホスト機器２に挿入された状態であっても、ユーザにより外部から切り換えが可能となる。
【００２９】
スライドスイッチ６は、スライド可能な可動部６ａを有している。可動部６ａは、図中Ｘ１，Ｘ２方向に移動自在となっている。スライドスイッチ６は、可動部６ａの可動範囲内において、当該可動部６ａが固定されるポイントが設けられている。可動部６ａが固定されるポイントは、可動範囲内における一方の端部、可動範囲における他方の端部及び可動範囲内にける中央の３ポイントである。つまり、スライドスイッチ６は、これら３ポイントを順番に切り換えていく方式のスイッチである。なお、メモリカード１では、スライドスイッチ６を切り換えることによって、内部のＩＣメモリを切り換えることができるが、その機能の詳細については後述する。
【００３０】
ホスト機器２にはスロット３が形成されている。スロット３は、メモリカード１に対応した凹状の形状となっており、メモリカード１が挿入可能である。さらに、スロット３は、メモリカード１が挿入されたときには、このメモリカード１が脱落しないように保持することができる。また、スロット３には、メモリカード１の１０個の平面電極に対応した位置に、１０個の接点から構成される接続端子群が設けられている。そのため、メモリカード１が接続端子群４の方向からスロット３の内部に差し込まれることにより（図２のＹ方向にメモリカード１が差し込まれることにより）、これらのスロット３内の接続端子と、メモリカード１の各接続端子とが電気的に接続されることとなる。
【００３１】
図４に、メモリカード１の内部ブロック構成図を示す。
【００３２】
メモリカード１の接続端子群４と、ホスト機器２のスロット３内に設けられた接続端子群には、シリアルデータ端子ＳＤ、バスステート端子ＢＳ、クロック端子ＣＬＫ及び挿抜検出端子ＩＮＳとが含まれている。メモリカード１がホスト機器２に接続されると、これらの端子が互いに接続する。シリアルデータ端子ＳＤには、メモリカード１内のＩＣメモリに記録するシリアルデータ又はこのＩＣメモリから読み出されるシリアルデータが伝送されるとともに、各種の制御データも伝送される。バスステート端子ＢＳには、シリアルデータ端子ＳＤを介して伝送されるシリアルデータのステートを示すバスステート信号が伝送される。クロック端子ＣＬＫには、シリアルデータ端子ＳＤを介して伝送されるシリアルデータのクロックタイミングを示すクロック信号が伝送される。
【００３３】
また、挿抜検出端子ＩＮＳは、ホスト機器２にメモリカード１が挿入されているか、挿入されていないかをホスト機器２側から判断するために設けられた端子である。ホスト機器２によるメモリカード１の挿抜検出については、後で詳細に説明をする。
【００３４】
また、接続端子群４には、図示しない電源端子ＶＣＣ及びグランド端子ＶＳＳが設けられている。電源端子ＶＣＣは、内部に電源を有していないメモリカード１に対して、ホスト機器２から電力を供給するための端子である。グランド端子ＶＳＳは、メモリカード１がホスト機器２に挿入されているときに、メモリカード１及びホスト機器２のグランドレベルを共通化するための端子である。
【００３５】
メモリカード１は、内部に、コントローラ１１と、第１のＩＣメモリ１２−１と、第２のＩＣメモリ１２−２と、第１のスイッチ１３と、第２のスイッチ１４とを備えている。
【００３６】
コントローラ１１は、当該メモリカード１がホスト機器２に挿入されている状態のときに、シリアルデータ端子ＳＤ、バスステート端子ＢＳ及びクロック端子ＣＬＫを介して、ホスト機器２との間でシリアルデータ、バスステート信号及びクロック端子の転送を行う。コントローラ１１は、ホスト機器２から供給されるシリアルデータ（実データ及び制御データ）に基づき、第１のＩＣメモリ１２−１及び第２のＩＣメモリ１２−２に対する、データの書込及び読出の制御を行う。また、コントローラ１１は、コントロール端子ＣＮＴを有しており、このコントロール端子ＣＮＴからＩＣメモリに対するデータの書き込み及び読み出しのタイミングを示すメモリコントロール信号を発生する。コントローラ１１は、第１のＩＣメモリ１２−１及び第２のＩＣメモリ１２−２に対する書込及び読出を行うときに当該メモリコントロール信号をＬｏｗとし、書込及び読出を行っていないときには当該メモリコントロール信号をＨｉｇｈとする。
【００３７】
第１のＩＣメモリ１２−１及び第２のＩＣメモリ１２−２は、ＮＡＮＤ型のフラッシュメモリ等の不揮発性の半導体メモリである。第１のＩＣメモリ１２−１及び第２のＩＣメモリ１２−２は、それぞれ独立したデバイス（ＩＣ）として構成されている。第１のＩＣメモリ１２−１及び第２のＩＣメモリ１２−２は、ともにバス（アドレスバス、データバス及び制御バス）１４を介してコントローラ１１に接続されている。
【００３８】
第１のＩＣメモリ１２−１及び第２のＩＣメモリ１２−２には、チップセレクト端子ＣＳが設けられている。第１のＩＣメモリ１２−１及び第２のＩＣメモリ１２−２は、チップセレクト端子に供給される信号（チップセレクト信号）が、ＬＯＷとなっているときにコントローラ１１からのデータの書込及び読出を可能とし、ＨＩＧＨとなっているときにはコントローラ１１からのデータの書込及び読出を受け付けない。
【００３９】
第１のスイッチ１３は、筐体の外部に設けられたスライドスイッチ６と連動して切り換わるスイッチである。第１のスイッチ１３は、１つの固定接点１３ａと、３つの可動接点（第１の可動接点１３ｂ，第２の可動接点１３ｃ，第３の可動接点１３ｄ）を有している。第１のスイッチ１３は、スライドスイッチ６の可動部６ａのスライド動作に連動して、固定接点１３ａと、いずれか１つの可動接点１３ｂ〜１３ｄとを接続する。固定接点１３ａは、コントローラ１１のコントロール端子ＣＮＴと接続されている。第１の可動接点１３ｂは、第１のＩＣメモリ１２−１のチップセレクト端子ＣＳに接続されているとともに、第１のプルアップ抵抗１５を介して電源端子Ｖｃｃに接続されている。第２の可動接点１３ｃは、第２のＩＣメモリ１２−２のチップセレクト端子ＣＳに接続されているとともに、第２のプルアップ抵抗１６を介して電源端子Ｖｃｃに接続されている。第３の可動接点１３ｄは、いずれの端子とも接続されずに、開放された状態となっている。
【００４０】
このような第１のスイッチ１３は、スライドスイッチ６の可動部６ａが一方の端部側の固定位置に切り換えられた場合には固定接点１３ａと第１の可動接点１３ｂとを接続し、スライドスイッチ６の可動部６ａが一方の端部側とは反対の他方の端部側の固定位置に切り換えられた場合には固定接点１３ａと第２の可動接点１３ｃとを接続し、スライドスイッチ６の可動部６ａが中心の固定位置に切り換えられた場合には固定接点１３ａと第３の可動接点１３ｄとを接続する。
【００４１】
従って、スライドスイッチ６の可動部６ａが一方の端部側の固定位置に切り換えられている場合には、コントローラ１１からのメモリコントロール信号が第１のＩＣメモリ１２−１のチップセレクト端子ＣＳに供給され、第２のＩＣメモリ１２−２のチップセレクト端子ＣＳには常にＨｉｇｈレベルが供給される。つまり、スライドスイッチ６の可動部６ａが一方の端部側の固定位置に切り換えられている場合には、第１のＩＣメモリ１２−１に対してのみデータの書込及び読出が行われる。
【００４２】
また、スライドスイッチ６の可動部６ａが他方の端部側の固定位置に切り換えられている場合には、コントローラ１１からのメモリコントロール信号が第２のＩＣメモリ１２−２のチップセレクト端子ＣＳに供給され、第１のＩＣメモリ１２−１のチップセレクト端子ＣＳには常にＨｉｇｈレベルが供給される。つまり、スライドスイッチ６の可動部６ａが他方の端部側の固定位置に切り換えられている場合には、第２のＩＣメモリ１２−２に対してのみデータの書込及び読出が行われる。
【００４３】
また、スライドスイッチ６の可動部６ａが中心の固定位置に切り換えられている場合には、第１のＩＣメモリ１２−１及び第２のＩＣメモリ１２−２のチップセレクト端子ＣＳには常にＨｉｇｈレベルが供給される。つまり、スライドスイッチ６の可動部６ａが中央の固定位置に切り換えられている場合には、第１のＩＣメモリ１２−１及び第２のＩＣメモリ１２−２の両者ともに、データの書込及び読出が行われない。
【００４４】
以上のように、第１のスイッチ１３は、スライドスイッチ６に連動して動作し、内部の２つのＩＣメモリのうちいずれか１つのＩＣメモリを選択した状態とするか、或いは、２つのＩＣメモリのいずれも選択しない状態とする。
【００４５】
第２のスイッチ１４は、筐体の外部に設けられたスライドスイッチ６と連動して切り替るスイッチである。第２のスイッチ１４の接点構成は、第１のスイッチ１３の接点構成と同一となっている。具体的には、第２のスイッチ１４は、１つの固定接点１４ａと、３つの可動接点（第１の可動接点１４ｂ，第２の可動接点１４ｃ，第３の可動接点１４ｄ）とを有している。第２のスイッチ１４は、スライドスイッチ６の可動部６ａのスライド動作に連動して、固定接点１４ａと、いずれか１つの可動接点１４ｂ〜１４ｄとを接続する。固定接点１４ａは、挿抜検出端子ＩＮＳと接続されている。第１の可動接点１４ｂは、グランドに接続されている。第２の可動接点１４ｃは、グランドに接続されている。第３の可動接点１４ｄは、いずれの端子とも接続されておらず、開放されている。
【００４６】
このような第２のスイッチ１４は、スライドスイッチ６の可動部６ａが一方の端部側の固定位置に切り換えられた場合には固定接点１４ａと第１の可動接点１４ｂとを接続し、スライドスイッチ６の可動部６ａが一方の端部側とは反対の他方の端部側の固定位置に切り換えられた場合には固定接点１４ａと第２の可動接点１４ｃとを接続し、スライドスイッチ６の可動部６ａが中心の固定位置に切り換えられた場合には固定接点１４ａと第３の可動接点１４ｄとを接続する。
【００４７】
従って、スライドスイッチ６の可動部６ａが一方の端部側の固定位置に切り換えられている場合には、挿抜検出端子ＩＮＳをグランドに接続する。また、スライドスイッチ６の可動部６ａが他方の端部側の固定位置に切り換えられている場合には、挿抜検出端子ＩＮＳをグランドに接続する。また、スライドスイッチ６の可動部６ａが中心の固定位置に切り換えられている場合には、挿抜検出端子ＩＮＳを開放する。
【００４８】
ここで、ホスト機器２が行う挿抜検出判断について説明をする。
【００４９】
ホスト機器２のコントローラは、挿抜検出端子ＩＮＳの電圧レベルをモニタして、ホスト機器２に対してメモリカード１が挿入されておりデータの書込及び読出ができる状態となっているか、或いは、ホスト機器２に対してメモリカード１が挿入されておらずデータの書込及び読出ができない状態となっているかを判断する。
【００５０】
ホスト機器２側の挿抜検出端子ＩＮＳは、図４に示すように、プルアップ抵抗１７を介して電源Ｖｃｃにプルアップされている。そのため、メモリカード１が挿入されていない場合には、ホスト機器２側の挿抜検出端子ＩＮＳの電圧レベルはＨｉｇｈとなる。また、メモリカード１が挿入され、メモリカード１側の挿抜検出端子ＩＮＳがグランドに落とされていれば、ホスト機器２側の挿抜検出端子ＩＮＳの電圧レベルはＬｏｗとなる。従って、メモリカード１側の挿抜検出端子ＩＮＳをグランドに接続した状態でメモリカード１の挿入及び抜出をすれば、ホスト機器２は、挿抜検出端子ＩＮＳの電圧レベルをモニタすることによって、メモリカード１の挿入及び抜出の判断をすることができる。
【００５１】
ホスト機器２のコントローラは、メモリカード１の挿入及び抜出の判断をして、メモリカードのマウント処理及びデマウント処理を行う。具体的には、ホスト機器２のコントローラは、挿抜検出端子ＩＮＳがＨｉｈｇからＬｏｗに変化した場合、オペレーションシステム上にメモリカード１のファイルシステムを組み込む処理（マウント処理）を行う。このことによって、メモリカード１は、ホスト機器２の外部記憶デバイスとして認識されることとなる。また、ホスト機器２のホストコントローラは、挿抜検出端子ＩＮＳがＬｏｗからＨｉｇｈに変化した場合、オペレーションシステム上に組み込んでいるメモリカード１のファイルシステムを取り外す処理（デマウント）を行う。このとき、例えば、データの書き込み中等にメモリカード１が取り外されてしまった場合には、ホスト機器２は、書き込み中のデータのバックアップ処理等を行う。
【００５２】
以上のように、ホスト機器２では、挿抜検出端子ＩＮＳの電圧レベルをモニタして、メモリカード１の挿入及び抜出に対する処理を行う。
【００５３】
ところで、第２のスイッチ１４は、スライドスイッチ６の可動部６ａの移動位置の切り換えに応じて、挿抜検出端子ＩＮＳの接続状態を切り換えている。
【００５４】
第２のスイッチ１４は、スライドスイッチ６の可動部６ａが一方の端部側の固定位置に切り換えられている場合、つまり、第１のスイッチ１３によって第１のＩＣメモリ１２−１が選択されている場合には、挿抜検出端子ＩＮＳをグランドに接続している。従って、スライドスイッチ６が一方の端部に切り換えられている状態のメモリカード１をホスト機器２に挿入したときには、当該ホスト機器２に対して、メモリカード１が挿入されたと検出させることができ、さらに、第１のＩＣメモリ１２−１に対してデータの書込及び読出を行わせることができる。
【００５５】
同様に、第２のスイッチ１４は、スライドスイッチ６の可動部６ａが他方の端部側の固定位置に切り換えられている場合、つまり、第１のスイッチ１３によって第２のＩＣメモリ１２−２が選択されている場合、挿抜検出端子ＩＮＳをグランドに接続している。従って、スライドスイッチ６が他方の端部に切り換えられている状態のメモリカード１をホスト機器２に挿入したときには、当該ホスト機器２に対して、メモリカード１が挿入されたと検出させることができ、さらに、第２のＩＣメモリ１２−２に対してデータの書込及び読出を行わせることができる。
【００５６】
一方、第２のスイッチ１４は、スライドスイッチ６の可動部６ａが中央の固定位置に切り換えられている場合、つまり、第１のスイッチ１３によっていずれのＩＣメモリも選択されていない場合、挿抜検出端子ＩＮＳを開放している。従って、スライドスイッチ６が中央の固定位置に切り換えられている状態のメモリカード１をホスト機器２に挿入したときには、当該ホスト機器２に対して、メモリカード１は挿入されていないと、検出させることができる。
【００５７】
また、さらに、スライドスイッチ６は、ホスト機器２に挿入されている状態で、ユーザにより操作が可能となっている。従って、ホスト機器２に挿入されている状態のまま、スライドスイッチ６の可動部６ａを、一方の端部側の固定位置から、他方の端部側の固定位置へ移動させるができる。また、同様に、他方の端部側の固定位置から、一方の端部側の固定位置へ移動させることもできる。つまり、メモリカード１は、ホスト機器２に挿入されている状態のまま、スライドスイッチ６が切り換えられれば、データの書込及び読出を行うＩＣメモリを、第１のＩＣメモリ１２−１から第２のＩＣメモリ１２−２へ、或いはその反対方向へ、切り換えることができる。
【００５８】
さらに、スライドスイッチ６の可動部６ａは、一方の端部側の固定位置から他方の端部側の固定位置へ移動させた場合、或いは、その逆方向への移動をさせた場合、必ず、中央の固定位置を通過することとなり、第２のスイッチ１４により挿抜検出端子ＩＮＳが一旦開放される。つまり、スライドスイッチ６の可動部６ａは、一方の端部側の固定位置から他方の端部側の固定位置へ移動させた場合、或いは、その逆方向への移動をさせた場合、挿抜検出端子ＩＮＳは、グランドに接続されている状態から、開放され、そののちに再度グランドに接続されることとなる。
【００５９】
従って、このようなメモリカード１では、ホスト機器２にメモリカード１が挿入されている状態のまま、スライドスイッチ６を操作して、選択するＩＣメモリを他のＩＣメモリに切り換えた場合、ホスト機器２に対して一旦メモリカード１のデマウント処理をさせた後、再度マウント処理をさせることができる。
【００６０】
このことにより第１の実施の形態のメモリカード１では、ホスト機器２に挿入された状態でスライドスイッチ６を操作してＩＣメモリを切り換えたとしても、ホスト機器２に対しては、一旦、抜き出しがされたものと判断させることができる。そのため、本メモリカード１では、記録中のデータを破壊等することなく、安全にＩＣメモリの切り換えをすることができる。
【００６１】
なお、第１の実施の形態のメモリカード１では、内部のＩＣメモリの数が２つであるが、本発明では、内部のＩＣメモリの数は、２つに限らず、複数であればいくつでもよい。もっとも、ＩＣメモリの数が増加した場合、ＩＣメモリを選択するスイッチをスライドスイッチとすると、ユーザによる操作が面倒となることがある。このような場合には、ＩＣメモリを選択するスイッチに、例えば、図５に示すようなロータリースイッチ２１を用いるのが望ましい。ただし、この場合も、第１のスイッチ１３及び第２のスイッチ１４は、ロータリースイッチ２１に連動して動作し、図６に示すように、第１のスイッチ１３が任意のいずれかのＩＣメモリを選択しているときには、第２のスイッチ１４は挿抜検出端子ＩＮＳをグランドに落とすようにする。そして、さらに、任意のＩＣメモリから、他のＩＣメモリへ切り換え操作がされた場合には、第２のスイッチ１４によって、必ず、挿抜検出端子ＩＮＳを開放するように構成する。
【００６２】
また、第１の実施の形態のメモリカード１に、選択しているＩＣメモリをユーザに通知するための表示部を設けても良い。表示部は、本メモリカード１をホスト機器２に挿入した時にでも、ユーザがその表示が見える位置に設けられる。例えば、図７に示すように、表示部を第１の発光ダイオード２２と第２の発光ダイオード２３とで構成し、これらを接続端子群４が設けられている長手方向の端部に対して、反対側の端部に設ける。そして、図８に示すように、第１の発光ダイオード２２を第１のプルアップ抵抗１５に対して直列に接続し、第２の発光ダイオード２３を第２のプルアップ抵抗１６に対して直列に接続する。このようにすることで、第１のＩＣメモリ１２−１が選択されているときには第１の発光ダイオード２２が発光し、第２のＩＣメモリ１２−２が選択されているときには第２の発光ダイオード２３が発光することとなる。
【００６３】
このように選択しているＩＣメモリをユーザに通知するための表示部を設けることによって、第１の実施の形態のメモリカード１では、内部の複数のＩＣメモリをスイッチで切り換えることにより、ホスト機器２に対してそれぞれのＩＣメモリを独立のデバイスとして認識をさせ、且つ、ホスト機器２に装着した状態で選択されているＩＣメモリをユーザに対して認識させることができる。
【００６４】
また、第１の実施の形態のメモリカード１に、誤消去防止用のスイッチを設けても良い。誤消去防止スイッチは、第１のＩＣメモリ１２−１及び第２のＩＣメモリ１２−２に対するデータの書き込みを禁止した状態と、書き込みを許可した状態とを切り換えるスイッチである。誤消去防止スイッチの選択信号は、コントローラ１１に与えられる。コントローラ１１は、誤消去防止スイッチの選択信号に応じて、第１のＩＣメモリ１２−１及び第２のＩＣメモリ１２−２に対するデータの書き込みの禁止及び許可の制御を行う。この誤消去防止スイッチは、その操作部２５が、例えば、図９に示すように、筐体の裏面１ｂの接続端子群４の近傍に設けられる。このように操作部２５が、筐体の裏面１ｂに設けられることによって、メモリカード１がホスト機器２に挿入されている場合には、ユーザによる操作を不可能とすることができる。
【００６５】
第２の実施の形態
つぎに、第２の実施の形態のメモリカードについて説明をする。
【００６６】
なお、第２の実施の形態のメモリカードの説明をするにあたり、上述した第１の実施の形態のメモリカード１と同一の構成要素については、同一の符号をつけてその詳細な説明を省略する。
【００６７】
図１０に、第２の実施の形態のメモリカード３０を裏面側からみた斜視図を示す。
【００６８】
メモリカード３０は、第１の実施の形態と同様に、不揮発性の半導体メモリ（ＩＣメモリ）を内部に有しており、各種デジタルデータを格納することができる。メモリカード３０は、ホスト機器２の外部記憶メディアとして機能する。メモリカード３０は、ホスト機器２に設けられているスロット３に挿入された状態で使用される。メモリカード３０のスロット３に対する挿入及び抜出は、ユーザが手動で自在に行うことができる。そのため、例えば、あるホスト機器２に挿入されていたメモリカード３０を抜き出して、他のホスト機器２に挿入することもできるため、異なるホスト機器間のデータのやり取りに用いることが可能である。
【００６９】
メモリカード３０は、主面（表面１ａ及び裏面１ｂ）が略長方形とされた薄板形状となっており、筐体の構成は、上記第１の実施の形態のメモリカード１と同一である。
【００７０】
ただし、第２の実施の形態のメモリカード３０は、内部のＩＣメモリの切り換え用のスライドスイッチ６の取り付け位置が、第１の実施の形態とは異なっている。第２の実施の形態のメモリカード３０は、裏面１ｂに設けられている。このようにスライドスイッチ６が裏面１ｂに設けられることによって、メモリカード３０がホスト機器２に挿入された状態のときに、ユーザにより外部から切り換えが不可能となる。
【００７１】
また、メモリカード３０の内部には、コントローラ１１用のＩＣと、メモリＩＣが設けられていが、スライドスイッチ６は、図１１に示すように、そのコントローラ１１用のＩＣの配設位置と、ＩＣメモリの配設位置との間の位置に設けられている。このようにスライドスイッチ６を設けることによって、カード内部の切り換えスイッチとの距離を短くすることができ、製造が容易になる。
【００７２】
図１２に、メモリカード３０の内部ブロック構成図を示す。
【００７３】
メモリカード３０の挿抜検出端子ＩＮＳは、ホスト機器２にメモリカード３０が挿入されているか、挿入されていないかをホスト機器２側から判断するために設けられた端子である。第２の実施の形態のメモリカード３０では、挿抜検出端子ＩＮＳがグランドに接続されている。
【００７４】
メモリカード３０は、内部に、コントローラ１１と、第１のＩＣメモリ３１−１と、第２のＩＣメモリ３１−２と、第３のＩＣメモリ３３−３と、メモリ切換スイッチ３２とを備えている。
【００７５】
コントローラ１１は、当該メモリカード３０がホスト機器２に挿入されている状態のときに、シリアルデータ端子ＳＤ、バスステート端子ＢＳ及びクロック端子ＣＬＫを介して、ホスト機器２との間でシリアルデータ、バスステート信号及びクロック端子の転送を行う。コントローラ１１は、ホスト機器２から供給されるシリアルデータ（実データ及び制御データ）に基づき、第１のＩＣメモリ３１−１、第２のＩＣメモリ３１−２及び第３のＩＣメモリ３１−３に対する、データの書込及び読出の制御を行う。また、コントローラ１１は、コントロール端子ＣＮＴを有しており、このコントロール端子ＣＮＴからＩＣメモリに対するデータの書き込み及び読み出しのタイミングを示すメモリコントロール信号を発生する。コントローラ１１は、第１のＩＣメモリ３１−１、第２のＩＣメモリ３１−２及び第３のＩＣメモリ３１−３に対する書込及び読出を行うときに当該メモリコントロール信号をＬｏｗとし、書込及び読出を行っていないときには当該メモリコントロール信号をＨｉｇｈとする。
【００７６】
第１のＩＣメモリ３１−１、第２のＩＣメモリ３１−２及び第３のＩＣメモリ３１−３は、ＮＡＮＤ型のフラッシュメモリ等の不揮発性の半導体メモリである。第１のＩＣメモリ３１−１、第２のＩＣメモリ３１−２及び第３のＩＣメモリ３１−３は、それぞれ独立したデバイス（ＩＣ）として構成されている。第１のＩＣメモリ３１−１、第２のＩＣメモリ３１−２及び第３のＩＣメモリ３１−３は、ともにバス（アドレスバス、データバス及び制御バス）１４を介してコントローラ１１に接続されている。
【００７７】
第１のＩＣメモリ３１−１、第２のＩＣメモリ３１−２及び第３のＩＣメモリ３１−３には、チップセレクト端子ＣＳが設けられている。第１のＩＣメモリ３１−１、第２のＩＣメモリ３１−２及び第３のＩＣメモリ３１−３は、チップセレクト端子に供給される信号（チップセレクト信号）が、ＬＯＷとなっているときにコントローラ１１からのデータの書込及び読出を可能とし、ＨＩＧＨとなっているときにはコントローラ１１からのデータの書込及び読出を受け付けない。
【００７８】
メモリ切換スイッチ３２は、筐体の外部に設けられたスライドスイッチ６と連動して切り換わるスイッチである。メモリ切換スイッチ３２は、１つの固定接点３２ａと、３つの可動接点（第１の可動接点３２ｂ，第２の可動接点３２ｃ，第３の可動接点３２ｄ）を有している。メモリ切換スイッチ３２は、スライドスイッチ６の可動部６ａのスライド動作に連動して、固定接点３２ａと、いずれか１つの可動接点３２ｂ〜３２ｄとを接続する。固定接点３２ａは、コントローラ１１のコントロール端子ＣＮＴと接続されている。第１の可動接点３２ｂは、第１のＩＣメモリ３１−１のチップセレクト端子ＣＳに接続されているとともに、第１のプルアップ抵抗３３を介して電源端子Ｖｃｃに接続されている。第２の可動接点３２ｃは、第２のＩＣメモリ３１−２のチップセレクト端子ＣＳに接続されているとともに、第２のプルアップ抵抗３４を介して電源端子Ｖｃｃに接続されている。第３の可動接点３２ｄは、第３のＩＣメモリ３１−３のチップセレクト端子ＣＳに接続されているとともに、第３のプルアップ抵抗３５を介して電源端子Ｖｃｃに接続されている。
【００７９】
このようなメモリ切換スイッチ３２は、スライドスイッチ６の可動部６ａが一方の端部側の固定位置に切り換えられた場合には固定接点３２ａと第１の可動接点３２ｂとを接続し、スライドスイッチ６の可動部６ａが一方の端部側とは反対の他方の端部側の固定位置に切り換えられた場合には固定接点３２ａと第３の可動接点３２ｄとを接続し、スライドスイッチ６の可動部６ａが中心の固定位置に切り換えられた場合には固定接点３２ａと第２の可動接点３２ｃとを接続する。
【００８０】
従って、スライドスイッチ６の可動部６ａが一方の端部側の固定位置に切り換えられている場合には、コントローラ１１からのメモリコントロール信号が第１のＩＣメモリ３１−１のチップセレクト端子ＣＳに供給され、第２のＩＣメモリ３１−２及び第３のＩＣメモリ３１−３のチップセレクト端子ＣＳには常にＨｉｇｈレベルが供給される。つまり、スライドスイッチ６の可動部６ａが一方の端部側の固定位置に切り換えられている場合には、第１のＩＣメモリ３１−１に対してのみデータの書込及び読出が行われる。
【００８１】
また、スライドスイッチ６の可動部６ａが中央の固定位置に切り換えられている場合には、コントローラ１１からのメモリコントロール信号が第２のＩＣメモリ３１−２のチップセレクト端子ＣＳに供給され、第１のＩＣメモリ３１−１及び第３のＩＣメモリ３１−３のチップセレクト端子ＣＳには常にＨｉｇｈレベルが供給される。つまり、スライドスイッチ６の可動部６ａが中央の固定位置に切り換えられている場合には、第２のＩＣメモリ３１−２に対してのみデータの書込及び読出が行われる。
【００８２】
また、スライドスイッチ６の可動部６ａが他方の端部側の固定位置に切り換えられている場合には、コントローラ１１からのメモリコントロール信号が第３のＩＣメモリ３１−３のチップセレクト端子ＣＳに供給され、第１のＩＣメモリ３１−１及び第２のＩＣメモリ３１−２のチップセレクト端子ＣＳには常にＨｉｇｈレベルが供給される。つまり、スライドスイッチ６の可動部６ａが他方の端部側の固定位置に切り換えられている場合には、第３のＩＣメモリ３１−３に対してのみデータの書込及び読出が行われる。
【００８３】
以上のように、メモリ切換スイッチ３２は、スライドスイッチ６に連動して動作し、内部の３つのＩＣメモリのうちいずれか１つのＩＣメモリを選択した状態とする。
【００８４】
以上のように第２の実施の形態のメモリカード３０では、内部のＩＣメモリの切り換え用のスライドスイッチ６の取り付け位置が、裏面１ｂに設けられている。このようにスライドスイッチ６が裏面１ｂに設けられることによって、メモリカード３０がホスト機器２に挿入された状態のときに、ユーザによる外部から切り換えが不可能となる。従って、第２の実施の形態のメモリカード３０では、内部に複数のフラッシュメモリを設け、そのフラッシュメモリを外部の切換スイッチで切り換えて利用できるようにしたとともに、データをホスト機器２に挿入している最中にはユーザによる切り換えを防止して、記録済みデータの破壊等を発生させない。
【００８５】
また、第２の実施の形態のメモリカード３０に、誤消去防止用のスイッチを設けても良い。誤消去防止スイッチは、第１のＩＣメモリ３１−１、第２のＩＣメモリ３１−２及び第３のＩＣメモリ３１−３に対するデータの書き込みを禁止した状態と、書き込みを許可した状態とを切り換えるスイッチである。誤消去防止スイッチの選択信号は、コントローラ１１に与えられる。コントローラ１１は、誤消去防止スイッチの選択信号に応じて、第１のＩＣメモリ３１−１、第２のＩＣメモリ３１−２及び第３のＩＣメモリ３１−３に対するデータの書き込みの禁止及び許可の制御を行う。この誤消去防止スイッチは、例えば、その操作部２５が、例えば、図１３に示すように、筐体の裏面１ｂの接続端子群４の近傍に設ける。このように操作部２５が、筐体の裏面１ｂに設けられることによって、メモリカード３０がホスト機器２に挿入されている場合には、ユーザによる操作を不可能とすることができる。
【００８６】
また、誤消去防止スイッチは、例えば、その操作部２５が、例えば、図１４に示すように、接続端子群４が設けられている長手方向の端部に対して、反対側の端面１ｃに設けられていてもよい。端面１ｃは、ホスト機器２のスロット３にメモリカード１を挿入している状態であってもスロット３から露出する。このため端面１ｃに対して誤消去防止スイッチの操作部２５を設ければ、メモリカード１がホスト機器２に挿入された状態であっても、ユーザにより外部から切り換えが可能となる。
【００８７】
また、第２の実施の形態のメモリカード３０では、スライドスイッチ６の配設位置を、図１５に示すように、筐体の裏面１ｂの接続端子群４の近傍に設けてもよい。第２の実施の形態のメモリカード３０と、外観形状が略同一のメモ  リスティ  ック（商標）と呼ばれる従来のメモリカードが提案されている。この従来のメモリカードでは、裏面１ｂの筐体の裏面の接続端子群の近傍に、誤消去防止スイッチの操作部が設けられている。図１５に示したメモリカード３０のスライドスイッチ６は、この従来のメモリカードに設けられている誤消去防止スイッチと、同一位置に配設され、同一の部材で構成されている。そのため、この図１５に示したメモリカード３０は、従来のメモリカードの外観形状やスイッチ形状を変更する必要なく、メモリ選択用のスイッチを実現することができる。従って、従来のメモリカードと製造ラインを共用化することができ、設計変更によるコストを抑えることができる。
【００８８】
また、メモリカード３０内に設けられているＩＣメモリは、ＮＡＮＤ型のフラッシュメモリを一例に説明しているが、本発明では、ホスト機器からメモリカードを取り外したのちにもデータを保持することができれば、どのようなメモリ手段であってもよい。また、メモリカード３０内には、複数のメモリ手段が備えられるが、複数の種類のＩＣメモリが混在していてもよい。例えば、フラッシュメモリとＲＯＭとが混在していてもよいし、また、メモリカード３０内に電池が備えられていれば、メモリ手段としてＲＡＭが含まれていても良い。
【００８９】
第３の実施の形態
つぎに、第３の実施の形態のメモリカードについて説明をする。
【００９０】
なお、第３の実施の形態のメモリカードの説明をするにあたり、上述した第１の実施の形態のメモリカード１と同一の構成要素については、同一の符号をつけてその詳細な説明を省略する。
【００９１】
図１６に、第３の実施の形態のメモリカード４０を表面側からみた斜視図を示し、図１７に第３の実施の形態のメモリカード４０を裏面側からみた斜視図を示す。
【００９２】
メモリカード４０は、第１の実施の形態と同様に、不揮発性の半導体メモリ（ＩＣメモリ）を内部に有しており、各種デジタルデータを格納することができる。メモリカード４０は、ホスト機器２の外部記憶メディアとして機能する。メモリカード４０は、ホスト機器２に設けられているスロット３に挿入された状態で使用される。メモリカード４０のスロット３に対する挿入及び抜出は、ユーザが手動で自在に行うことができる。そのため、例えば、あるホスト機器２に挿入されていたメモリカード４０を抜き出して、他のホスト機器２に挿入することもできるため、異なるホスト機器間のデータのやり取りに用いることが可能である。
【００９３】
メモリカード４０は、主面（表面１ａ及び裏面１ｂ）が略長方形とされた薄板形状となっており、筐体の構成は、上記第１の実施の形態のメモリカード１と同一である。
【００９４】
メモリカード４０内には、第１のＩＣメモリ１２−１と第２のＩＣメモリ１２−２の２つのＩＣメモリが設けられている。メモリカード４０では、２つのＩＣメモリのうち、一方のＩＣメモリ（例えば、第１のＩＣメモリ１２−１）の名称が“メモリＡ”と定義されており、他方のＩＣメモリ（例えば、第２のＩＣメモリ１２−２）の名称が“メモリＢ”と定義されている。
【００９５】
メモリカード４０の主面１ａには、メモリＡとメモリＢとの合計の容量を示した第１のマーク４１と、メモリＡの容量を示した第２のマーク４２と、メモリＢの容量を示した第３のマーク４３とが記載されている。メモリカード４０には、このように個々のＩＣメモリのデータ容量が筐体の外部に記載されているため、ユーザが個々のＩＣメモリのデータ容量を認識することができる。なお、このような個々のＩＣメモリのデータ容量を示したマークを、上記第１の実施の形態のメモリカード１及び第２の実施の形態のメモリカード３０に記載してもよい。
【００９６】
また、メモリカード４０の裏面１ｂには、２接点切り換え式の第１のスライドスイッチ４４が設けられている。第１のスライドスイッチ４４は、メモリ選択用のスイッチとして機能する。第１のスライドスイッチ４４は、ユーザにより操作がされる可動部４４ａが、裏面１ｂの長手方向に移動可能とされている。また、第１のスライドスイッチ４４は、裏面１ｂの長手方向の略中央に配置され、裏面１ｂの短辺方向の一方の端部側に近接した位置に配置されている。
【００９７】
このような第１のスライドスイッチ４４では、可動部４４ａが一方の端部側（例えば、接続端子群４が設けられていない側の端部）に移動されている場合にはメモリＡを選択し、可動部４４ａが他方の端部側（例えば、接続端子群４が設けられている側の端部）に移動されている場合にはメモリＢを選択する。
【００９８】
また、メモリカード４０の裏面１ｂの第１のスライドスイッチ４４の近傍には、第１のスライドスイッチ４４の操作部４４ａをどちらの方向に移動させれば、メモリＡが選択されるか、或いは、メモリＢが選択されるかをユーザに認識させるメモリの選択方向マーク４５が記載されている。具体的には、選択方向マーク４５は、可動部４４ａの各移動位置の近傍付近に、対応するメモリ名称（“Ａ”又は“Ｂ”）を示した記載がされている。なお、このような選択方向マークを、上記第１の実施の形態のメモリカード１及び第２の実施の形態のメモリカード３０に記載してもよい。
【００９９】
また、メモリカード４０の裏面１ｂには、２接点切り換え式の第２のスライドスイッチ４６が設けられている。第２のスライドスイッチ４６は、ＩＣメモリに対するデータの書き込みの禁止状態と、書き込みの許可状態とを切り換えるスイッチとして機能する。
【０１００】
第２のスライドスイッチ４６は、第１のスライドスイッチ４４と同一の大きさ及び形状となっている。第２のスライドスイッチ４６は、ユーザにより操作がされる可動部４６ａが、裏面１ｂの長手方向に移動可能とされている。第２のスライドスイッチ４６は、裏面１ｂの長手方向の配置が、接続端子群４と第１のスライドスイッチ４４との間とされており、裏面１ｂの短辺方向の配置が第１のスライドスイッチ４４と同一の位置とされている。
【０１０１】
第２のスライドスイッチ４６は、可動部４６ａが一方の端部側（例えば、接続端子群４が設けられていない側の端部）に移動されている場合には書き込みを可能とし、可動部４６ａが他方の端部側（例えば、接続端子群４が設けられている側の端部）に移動されている場合には書き込みを禁止する。
【０１０２】
図１８に、第３の実施の形態のメモリカード４０の内部ブロック構成図を示す。
【０１０３】
メモリカード４０は、内部に、コントローラ１１と、第１のＩＣメモリ（メモリＡ）１２−１と、第２のＩＣメモリ（メモリＢ）１２−２と、メモリ切換スイッチ４７と、誤消去防止スイッチ４８とを備えている。
【０１０４】
メモリカード４０では、挿抜検出端子ＩＮＳがグランドに接続されている。
【０１０５】
コントローラ１１は、当該メモリカード４０がホスト機器２に挿入されている状態のときに、シリアルデータ端子ＳＤ、バスステート端子ＢＳ及びクロック端子ＣＬＫを介して、ホスト機器２との間でシリアルデータ、バスステート信号及びクロック端子の転送を行う。コントローラ１１は、ホスト機器２から供給されるシリアルデータ（実データ及び制御データ）に基づき、第１のＩＣメモリ１２−１及び第２のＩＣメモリ１２−２に対する、データの書込及び読出の制御を行う。また、コントローラ１１は、コントロール端子ＣＮＴを有しており、このコントロール端子ＣＮＴからＩＣメモリに対するデータの書き込み及び読み出しのタイミングを示すメモリコントロール信号を発生する。コントローラ１１は、第１のＩＣメモリ１２−１及び第２のＩＣメモリ１２−２に対する書込及び読出を行うときに当該メモリコントロール信号をＬｏｗとし、書込及び読出を行っていないときには当該メモリコントロール信号をＨｉｇｈとする。
【０１０６】
第１のＩＣメモリ１２−１及び第２のＩＣメモリ１２−２は、ＮＡＮＤ型のフラッシュメモリ等の不揮発性の半導体メモリである。第１のＩＣメモリ１２−１及び第２のＩＣメモリ１２−２は、それぞれ独立したデバイス（ＩＣ）として構成されている。第１のＩＣメモリ１２−１及び第２のＩＣメモリ１２−２は、ともにバス（アドレスバス、データバス及び制御バス）１４を介してコントローラ１１に接続されている。
【０１０７】
第１のＩＣメモリ１２−１及び第２のＩＣメモリ１２−２には、チップセレクト端子ＣＳが設けられている。第１のＩＣメモリ１２−１及び第２のＩＣメモリ１２−２は、チップセレクト端子に供給される信号（チップセレクト信号）が、ＬＯＷとなっているときにコントローラ１１からのデータの書込及び読出を可能とし、ＨＩＧＨとなっているときにはコントローラ１１からのデータの書込及び読出を受け付けない。
【０１０８】
メモリ切換スイッチ４７は、筐体の外部に設けられた第１のスライドスイッチ４４と連動して切り換わるスイッチである。メモリ切換スイッチ４７は、１つの固定接点４７ａと、２つの可動接点（第１の可動接点４７ｂ及び第２の可動接点４７ｃ）を有している。メモリ切換スイッチ４７は、第１のスライドスイッチ４４の可動部４４ａのスライド動作に連動して、固定接点４７ａと、いずれか１つの可動接点４７ｂ〜４７ｃとを接続する。固定接点４７ａは、コントローラ１１のコントロール端子ＣＮＴと接続されている。第１の可動接点４７ｂは、第１のＩＣメモリ１２−１のチップセレクト端子ＣＳに接続されているとともに、第１のプルアップ抵抗１５を介して電源端子Ｖｃｃに接続されている。第２の可動接点４７ｃは、第２のＩＣメモリ１２−２のチップセレクト端子ＣＳに接続されているとともに、第２のプルアップ抵抗１６を介して電源端子Ｖｃｃに接続されている。
【０１０９】
このようなメモリ切換スイッチ４７は、第１のスライドスイッチ４４の可動部４４ａが一方の端部側の固定位置に切り換えられた場合には固定接点４７ａと第１の可動接点４７ｂとを接続し、第１のスライドスイッチ４４の可動部４４ａが一方の端部側とは反対の他方の端部側の固定位置に切り換えられた場合には固定接点４７ａと第２の可動接点４７ｃとを接続する。
【０１１０】
従って、第１のスライドスイッチ４４の可動部４４ａが一方の端部側の固定位置に切り換えられている場合には、コントローラ１１からのメモリコントロール信号が第１のＩＣメモリ１２−１のチップセレクト端子ＣＳに供給され、第２のＩＣメモリ１２−２のチップセレクト端子ＣＳには常にＨｉｇｈレベルが供給される。つまり、第１のスライドスイッチ４４の可動部４４ａが一方の端部側の固定位置に切り換えられている場合には、第１のＩＣメモリ１２−１に対してのみデータの書込及び読出が行われる。
【０１１１】
また、第１のスライドスイッチ４４の可動部４４ａが他方の端部側の固定位置に切り換えられている場合には、コントローラ１１からのメモリコントロール信号が第２のＩＣメモリ１２−２のチップセレクト端子ＣＳに供給され、第１のＩＣメモリ１２−１のチップセレクト端子ＣＳには常にＨｉｇｈレベルが供給される。つまり、第１のスライドスイッチ４４の可動部４４ａが他方の端部側の固定位置に切り換えられている場合には、第２のＩＣメモリ１２−２に対してのみデータの書込及び読出が行われる。
【０１１２】
以上のように、メモリ切換スイッチ４７は、第１のスライドスイッチ４４に連動して動作し、内部の２つのＩＣメモリのうちいずれか１つのＩＣメモリを選択した状態とする。
【０１１３】
誤消去防止スイッチ４８は、筐体の外部に設けられた第２のスライドスイッチ４６と連動して切り換わるスイッチである。誤消去防止スイッチ４８は、１つの固定接点４８ａと、２つの可動接点（第１の可動接点４８ｂ及び第２の可動接点４８ｃ）を有している。誤消去防止スイッチ４８は、第２のスライドスイッチ４６の可動部４６ａのスライド動作に連動して、固定接点４８ａと、いずれか１つの可動接点４８ｂ〜４８ｃとを接続する。固定接点４８ａは、コントローラ１１と接続されている。第１の可動接点４８ｂは、第３のプルアップ抵抗４９を介して電源端子Ｖｃｃに接続されている。第２の可動接点４８ｃは、グランドに接続されている。
【０１１４】
このような誤消去防止スイッチ４８は、第２のスライドスイッチ４６の可動部４６ａが一方の端部側の固定位置に切り換えられた場合には固定接点４８ａと第１の可動接点４８ｂとを接続し、第２のスライドスイッチ４６の可動部４６ａが一方の端部側とは反対の他方の端部側の固定位置に切り換えられた場合には固定接点４８ａと第２の可動接点４８ｃとを接続する。
【０１１５】
従って、誤消去防止スイッチ４８は、第２のスライドスイッチ４６の可動部４６ａが一方の端部側の固定位置に切り換えられている場合には、コントローラ１１に対してＨｉｇｈを与えることができ、可動部４６ａが他方の端部側の固定位置に切り換えられている場合には、コントローラ１１に対してＬｏｗを与えることができる。コントローラ１１は、ホスト機器２からメモリカード４０の状態を確認するためのレジスタ読み出し命令を受信すると、誤消去防止スイッチ４８の状態を内部レジスタに書き込み、このレジスタの内容をシリアルデータ線を介してホスト機器２に返送する。ホスト機器２は、この内容に基づいて書き込み禁止状態から書き込み許可状態かを判断する。
【０１１６】
以上のように第３の実施の形態のメモリカード４０では、内部のＩＣメモリの切り換え用の第１のスライドスイッチ４４の取り付け位置が、裏面１ｂに設けられている。このように第１のスライドスイッチ４４が裏面１ｂに設けられることによって、メモリカード４０がホスト機器２に挿入された状態のときに、ユーザによる外部から切り換えが不可能となる。従って、第３の実施の形態のメモリカード４０では、内部に複数のフラッシュメモリを設け、そのフラッシュメモリを外部の切換スイッチで切り換えて利用できるようにしたとともに、データをホスト機器２に挿入している最中にはユーザによる切り換えを防止して、記録済みデータの破壊等を発生させない。
【０１１７】
なお、以上のような第１〜第３のメモリカードの使用方法として、一方のＩＣメモリに対して書き込み及び読み出しを行う場合には、パスワードにより認証を行い、他方のＩＣメモリに対して書き込み及び読み出しを行う場合には、パスワードによる認証を行わないといったように、セキュリティの有無によって使用するＩＣメモリを区別するようにしてもよい。また、一方のＩＣメモリには、個人データを記録しておき、他方のＩＣメモリには、業務用のデータを記録するといったように、プライベートデータかパブリックデータかによって使用するＩＣメモリを区別するようにしてもよい。また、ホスト機器２がデジタルスチルカメラである場合には一方のＩＣメモリにデータを記録し、ホスト機器２がパーソナルコンピュータである場合には他方のＩＣメモリにデータを記録するといったように、ホスト機器２の種類に応じて使用するＩＣメモリを区別するようにしてもよい。
【０１１８】
【発明の効果】
本発明にかかるデータ記憶装置では、内部の複数の不揮発性メモリを第１のスイッチによって切り換えることにより、ホスト機器に対してそれぞれの記録領域を独立のデバイスとして認識をさせる。さらに、このデータ記憶装置では、第１のスイッチに、任意の不揮発性メモリを選択する接点から他の不揮発性メモリを選択する接点への切り換えの中間位置に、いずれの不揮発性メモリも選択しない接点が設けられており、第２のスイッチが、第１のスイッチがいずれかの不揮発性メモリを選択する接点に切り換えられているときには検出端子をグランドに接続し、第１のスイッチがいずれの不揮発性メモリも選択していない接点に切り換えられているときには検出端子を開放する。
【０１１９】
このため上記データ記憶装置では、内部の複数の記憶領域をスイッチで切り換えることにより、ホスト機器に対してそれぞれの記録領域を独立のデバイスとして認識をさせ、且つ、ホスト機器に装着した状態で第１のスイッチを切り換えることができる。
【０１２０】
また、本発明にかかるデータ記憶装置では、内部の複数の不揮発性メモリを第１のスイッチによって切り換えることにより、ホスト機器に対してそれぞれの記録領域を独立のデバイスとして認識をさせる。さらに、このデータ記憶装置では、表示部によって、第１のスイッチにより選択されている不揮発性メモリをユーザに対して表示している。
【０１２１】
このため上記データ記憶装置では、内部の複数の記憶領域をスイッチで切り換えることにより、ホスト機器に対してそれぞれの記録領域を独立のデバイスとして認識をさせ、且つ、ホスト機器に装着した状態でスイッチにより選択されている記憶領域をユーザが認識できる。
【図面の簡単な説明】
【図１】第１の実施の形態のメモリカード及びそのホスト機器の外観斜視図である。
【図２】第１の実施の形態のメモリカードを表面側から見た斜視図である。
【図３】第１の実施の形態のメモリカードを裏面側から見た斜視図である。
【図４】第１の実施の形態のメモリカードの内部のブロック図である。
【図５】ロータリースイッチを設けたメモリカードの斜視図である。
【図６】ロータリースイッチを設けたメモリカード内のスイッチ構成を示す図である。
【図７】表示部を設けたメモリカードの斜視図である。
【図８】表示部を設けたメモリカードの内部のブロック図である。
【図９】誤消去防止スイッチが設けられた第１の実施の形態のメモリカードを裏面側からみた斜視図である。
【図１０】第２の実施の形態のメモリカードを裏面側から見た斜視図である。
【図１１】第２の実施の形態のメモリカードのスライドスイッチ６の取り付け位置を説明するための図である。
【図１２】第２の実施の形態のメモリカードの内部のブロック図である。
【図１３】誤消去防止スイッチが設けられた第２の実施の形態のメモリカードを裏面側からみた斜視図である。
【図１４】誤消去防止スイッチが側面部に設けられた第２の実施の形態のメモリカードを裏面側からみた斜視図である。
【図１５】スライドスイッチの取り付け位置を変更した第２の実施の形態のメモリカードを裏面側からみた斜視図である。
【図１６】第３の実施の形態のメモリカードを表側からみた斜視図である。
【図１７】第３の実施の形態のメモリカードを裏面側からみた斜視図である。
【図１８】第３の実施の携帯のメモリカードの内部のブロック図である。
【符号の説明】
１，３０，４０  メモリカード、２  ホスト機器、６  スライドスイッチ、１１  コントローラ、１２−１，３１−１  第１のＩＣメモリ、１２−２，３１−２  第２のＩＣメモリ、３１−３  第３のＩＣメモリ、１３  第１のスイッチ、１４第２のスイッチ、２１  ロータリースイッチ、２２  第１の発光ダイオード、２３  第２の発光ダイオード、３２  メモリ切換スイッチ
【図１】
2004213574.tif 000003
【図２】
2004213574.tif 000004
【図３】
2004213574.tif 000005
【図４】
2004213574.tif 000006
【図５】
2004213574.tif 000007
【図６】
2004213574.tif 000008
【図７】
2004213574.tif 000009
【図８】
2004213574.tif 000010
【図９】
2004213574.tif 000011
【図１０】
2004213574.tif 000012
【図１１】
2004213574.tif 000013
【図１２】
2004213574.tif 000014
【図１３】
2004213574.tif 000015
【図１４】
2004213574.tif 000016
【図１５】
2004213574.tif 000017
【図１６】
2004213574.tif 000018
【図１７】
2004213574.tif 000019
【図１８】
2004213574.tif 000020